(57)【要約】【課題】  本発明は、現在、風呂に関する物の発明、発売されているが、該風呂に於いては、風呂の入浴時の便利さ（入りやすさ）、美観等を重きにおき為されている。しかし該従来通りの風呂の使用時、該入浴中、前、後において、事故（死ぬ事もふくむ）が多発している。（現在は高齢者、身体支障者が多くなっている故に）【解決手段】  本発明は、以上のような従来の欠点にかんがみ、該対策として、現在は高齢者、身体支障者が多くなっている故に、入浴時、前、中、後において事故（死ぬ事もふくむ）が多発しているので、椅子式風呂を用い該使用時におけるカバ−を設定して掃除洗う事を極力省くために覆う、被い、又はカバ−を風呂とする。簡易に掃除洗う事が出来る又覆う、被い、カバ−を取って捨てる事を行う特徴の物品である。全く新しい画期的な発明なものとして為す該発明をした物品を提供する事を目的として発明した。【選択図】  図１
2017205474.tif 000002
【特許請求の範囲】
【請求項１】
カバー又は袋に液体を溜める事が出来る形状の構成と為して使用する簡易風呂。
【請求項２】
カバー又は袋の形状に液体を溜める事が出来得る該カバー又は袋に関与する骨組みを持たせた簡易風呂。
【請求項３】
カバー又は袋の形状に液体を溜める事が出来得る該カバー又は袋に柱又は保持盤を関与せた簡易風呂。
【請求項４】
上記記載の柱、又は保持盤は、固定する特徴を持ち、更に機能、形状、構造、又は作用を構成する特徴を所持して、カバー又は袋に関与させて為す簡易風呂。
【請求項５】
カバー又は袋を椅子に設置した機能、構造を持たせる事が出来る特徴の請求項１乃至請求項４の少なくても何れか１つに記載の簡易風呂。
【請求項６】
カバー又は袋に封止、又は開放の機能、構造を持たせる事が出来る特徴の請求項１乃至請求項５の少なくても何れか１つに記載の簡易風呂。
【発明の詳細な説明】
【技術分野】
【０００１】
本発明は、利用便利なカバー又は袋に於ける、そのカバー又は袋にて、湯、水等々の液体を溜めて、足、手、又はからだを洗ったり、又は入浴したり出来る構成と為すカバー、袋の簡易風呂である。その使用後の掃除に於いても、又そのカバー、袋の後始末、処理に於いても、簡単にできる。該簡易風呂に関与するもの。
【背景技術】
【０００２】
現在、種々の風呂に関する物品が発明、商品化し発売されている。そして、従来の該発明されている文献１、登録実用新案第３１１６４２０号公報の記載の技術が開示されている。
【先行技術文献】
【特許文献】
【０００３】
【特許文献１】登録実用新案第３１１６４２０号公報
【発明の概要】
【発明が解決しようとする課題】
【０００４】
しかし、従来の風呂は、高齢者、身体支障者の入浴時の、入たり、出たりする際に不便さが生じる事が有る。又該風呂の掃除に手間を要するに事が多い。
【０００５】
そこで、本発明は、入浴時の、入たり、出たりする際の不便さを解消する。又該掃除に手間を要せず、後始末、処理に於いても簡易便利となす事が出来るカバー、袋等使用による簡易風呂提供を課題とする。
【課題を解決するための手段】
【０００６】
請求項１は、カバー又は袋に液体を溜める事が出来る形状の構成と為して使用する簡易風呂。
【０００７】
請求項２は、カバー又は袋の形状に液体を溜める事が出来得る該カバー又は袋に関与する骨組みを持たせた簡易風呂。
【０００８】
請求項３は、カバー又は袋の形状に液体を溜める事が出来得る該カバー又は袋に柱又は保持盤を関与せた簡易風呂。
【０００９】
請求項４は、上記記載の柱、又は保持盤は、固定する特徴を持ち、更に機能、形状、構造、又は作用を構成する特徴を所持して、カバー又は袋に関与させて為す簡易風呂。
【００１０】
請求項５は、カバー又は袋を椅子に設置した機能、構造を持たせる事が出来る特徴の請求項１乃至請求項４の少なくても何れか１つに記載の簡易風呂。
【００１１】
請求項６は、カバー又は袋に封止、又は開放の機能、構造を持たせる事が出来る特徴の請求項１乃至請求項５の少なくても何れか１つに記載の簡易風呂。
【発明の効果】
【００１２】
以上の説明から明らかの様に、本発明にあっては次に列挙する効果が得られる。
こんにち、入浴時、前、中、後において事故（死ぬ事もふくむ）が多発している中において、本発明は、風呂場及び便所、お勝手場、その他随時必要箇所にて簡易に使用出来、更に安心な、且つ簡易、便利なカバー、袋の使用によるカバー、袋による風呂となる効果が得られる。
該カバー、袋の形状は、丸、三角〜十二角、変形形状等々の種々雑多な形状が設定可能である、故に、該カバー、袋の簡易風呂は、手軽に、安価な、安心な、簡単に、便利に、簡易な風呂として使用出来る効果が得られる。
【００１３】
請求項１の発明は、カバー又は袋を使用して液体を溜める事が出来る形状の立体構造と為して、それに、水、お湯等々の種々雑多な液体を溜める事が出来る構成である。故に該立体構造カバー、袋と為す形状の該カバー、袋にて手足身体を洗う、入浴する事が出来る特徴のカバー又は袋の簡易風呂である。故に、該カバー、袋の簡易風呂は、手軽に、安価な、安心な、簡単に、便利に、簡易な風呂として使用出来る効果が得られる。
【００１４】
請求項２の発明は、カバー又は袋と、該カバー又は袋に関与する骨組みと、から為る簡易風呂である。カバー又は袋に形状構成を為し該液体を溜める事が出来る立体構造と為す事が出来るカバー又は袋に骨組みを持たせて、該カバー、袋にしっかりした安定性のある、安全性のある、又は固定性を持たせる形状にする。故に該カバー、袋に該骨組み設定形状を保たせることによって、該形状が崩れない、形状を保っている特徴を為す事が出来るので、該カバー、袋、は、手足身体を洗う、入浴する機能を安全、且つ安定にてする事が出来る。又入浴風呂に於いて、入りやすい事の機能を高める事が出来る効果が得られる。
【００１５】
請求項３の発明は、柱又は保持盤を設けた、該柱、保持盤に前記記載のカバー又は袋を関与させる事で、カバー又は袋の形状を安定させる。よって、安定するカバー又は袋の形状は容易に液体をもれなくする等々が出来得る構造が出来る効果が得られる。
【００１６】
請求項４の発明は、カバー、袋は、簡易風呂としての機能、作用、形状又は構造の構成を為すために関与して設けた柱又は保持盤において、該柱、保持盤は、壁、塀等々の柱、保持盤が固定できる物体、壁等に固定し、安定をなす特徴を持つ。又該固定柱、該固定保持盤は装着、脱着、移動、開閉、任意位置きめ、スライド、伸ばす、縮める、折り曲げる、取出す、収納、放出、出し入れ、引っかける、止める、閉じる、挟む、磁石、添付物、吸盤、つめる、ボタン操作、挟み込む、面着、接着、引っ込める、突出する又その他の種々雑多な方法等々の機能、形状、構造、又は作用を所持にて、カバー又は袋に関与させてなる簡易に使用できる簡易風呂。又、前記記載の種々雑多な方法仕方を持つ内の、必要に、需要に適した該機能、形状、構造、又は作用を該柱、保持盤に設定して該方法仕方により、安心、簡易、便利な、使いやすい形状構造と為す、構成にて、簡易な風呂として使用できる機能、構造となる簡易風呂が出来得る効果が得られる。故に、該カバー袋の底面に関与する機能は横、側面、縦に広げる機能、拡大する機能、広げる機能、縮小する機能、縮める機能等々を所持し、該カバー袋底面にマッチした位置に合せた該機能にてカバー袋の底面を止め、その必要とする位置に該袋に合せた構造に移動又は広げえる又は立体構成に為す事が出来る特徴を持つ事が出来得る効果が得られる。
【００１７】
請求項５の発明は、前記記載の、そのカバー、袋を椅子座に設置、又は関与させる特徴は、気体、液体、固体を溜める方法でも安定をなし、身体の入浴位置を図れる、楽な姿勢のままで等の簡易入浴が出来る特徴を有する椅子式風呂ふう構造の特徴を有する簡易風呂としての特徴を持つ事が出来得る効果が得られる。
椅子を風呂ふうとして構成させる事によって、座ることが出来ない、物を跨ぐことが出来ない身体の不自由の者でも、椅子（従来使用している該椅子をそのままで移動可能とさせて風呂として使用）のまま腰掛けて、風呂に入ることが出来る効果が得られる。
又使用した後のカバ−を取り除いて捨てる等で掃除の手間を省く事が出来る椅子式風呂ふうで安全性と便利さを持つ効果が得られる。
【００１８】
請求項６の発明は、カバー又は袋に封止、又は開放の機能、構造のスリット（切れ目）、開放部、又は封止部の機能を設定は、カバー、袋内の水、お湯等々の種々雑多な液体を排出する機能を持つカバー、袋。又は身体を該カバー、袋内に侵入させる為に、カバー、袋を開放して中に入りやすくする機能を持つカバー、袋。又液体を溜める事が出来る事が出来る構成と為すために、封じ込める、封止する又は閉じる構造、機能を備えたカバー、袋である特徴を持つ事が出来得る効果が得られる。
【図面の簡単な説明】
【００１９】
【図１】本発明の第一実施形態のカバーの立体図である。
【図２】図１とは別のカバーを示す立体図である。
【図３】図１とは別のカバーを示す立体図である。
【図４】図１とは別のカバーを示す立体図である。
【図５】図１とは別のカバーを示す立体図である。
【図６】図１とは別のカバーを示す立体図である。
【図７】Ａ      壁に固定する柱の平面図である。    Ｂ      壁に固定する柱の平面図である。
【図８】壁に固定する機能柱の平面図である。
【図９】Ａ      壁に固定する機能柱の平面図である。    Ｂ      壁に固定する機能柱の平面図である。
【図１０】Ａ      壁に固定する機能柱の平面図である。    Ｂ      壁に固定する機能柱の平面図である。
【図１１】Ａ      壁に固定する機能柱の平面図である。    Ｂ      壁に固定する機能柱の平面図である。
【発明を実施するための形態】
【００２０】
以下、本発明の実施の形態を図に基づいて説明する。
なお、各実施の形態を通じ、同一の部材、要素または、部品、部分には同一の符号を付して、其の説明を省略する場合もある。
【実施例１】
【００２１】
図１は、本発明の実施例１であって、カバーを開いて立体的に構成したカバー風呂の絵である。
上記記載カバーの製品の絵は、カバーの形状が立体構造を所持して、水、お湯等々の種々雑多な液体を溜める事が出来る構成である、故に該立体構造カバーと為して、該カバーにて手足身体を洗う、入浴する事が出来る特徴のカバーの簡易風呂の製品の絵である。
又該形状は、変形形状、丸、三角、四角等々の何角でも良い。
【００２２】
図２は、本発明の実施例２であって、請求項２の、カバーの形状が液体を溜める事が出来て手足身体を洗う、入浴する事が出るカバーに骨組みを持たせる。カバーの製品の絵は、カバーの形状が立体構造を所持して、水、お湯等々の種々雑多な液体を溜める事が出来る構成である、更に該立体構造カバーと為して、該カバーにて手足身体を洗う、入浴する事が出来る特徴のカバー風呂の製品の、カバーに骨組みをもたせて、カバーに安定性、安全性、又は固定性を持たせて、カバーの形状を保たせる（形状が崩れない、形状を保っている）特徴を為す、故に手足身体を洗う、入浴する機能を安全、安定、入浴入りやすい事の機能を高める。又該形状は、変形形状、丸、三角、四角等々の何角でも、どんな形状でも良い。
【００２３】
図３は、本発明の実施例３であって、立体カバーにスリット（切れ目）、又は開放部を設定する事ができるカバーの製品である。
上記記載カバーの製品は、カバーの形状が液体を溜める事が出来る構造で手、足、身体を洗う、又は入浴する事が出来るカバーの製品、又は前記カバーに骨組みを持たせ安定性のある該カバーの製品において、該カバーにスリット（切れ目）又は開放部をもたせて、カバー内の水、お湯等々の種々雑多な液体を排出する機能を持つカバーの製品。又は身体を該カバー内に侵入させる為に、カバーを開放して中に入りやすくする機能を持つカバーの製品。
該カバーにスリット（切れ目）又は開放部をもたせて機能の１つにチャック、ボタン、入れ違い形状でその上から止める方法等種々ある。チャックは中央に設定しました。故に封止機能が存在しているとも言える。
【００２４】
図４は、本発明の実施例４であって、立体構成のカバーに封止部の機能を備える事が出来るカバーの製品。
上記記載カバーの製品は、カバーの形状が液体を溜める事が出来る構造で手、足、身体を洗う、又は入浴する事が出来るカバーの製品、又は前記カバーに骨組みを持たせたカバーの製品、又は該カバーの製品にスリット（切れ目）又は開放部をもたせたカバーの製品において、液体を溜める事が出来る事が出来る構成と為すために、封じ込める、封止する又は閉じる構造、機能を備えたカバーである製品。
上記記載カバーは、封じ込める、封止する又は閉じる機能を備え、カバー内の水、お湯等々の種々雑多な液体を逃がさない様にする機能（該機能はチャック、ボタン、入れ込み封止機能は実施例にて説明する等々種々有り）を持つ製品。チャックは左側に設定しました。
尚、図３、本発明の実施例３の機能は、図４の本発明の実施例４に於いても、該機能としての使用できるものである。
【００２５】
図５は、本発明の実施例５であって、椅子にカバーを設置して風呂とした機能を持たせる事が出来るカバーの製品。
椅子式の風呂とは、（従来のお風呂は、浴槽があり、該浴槽を股いて入り、身体を湯に沈め入浴し、又股いて身体を動かして浴槽から出る風呂である。）（本発明に於いては背もたれのある椅子をも有る）椅子に腰かけたまま洗う事も出来る。又椅子に腰かけたまま身体を流す事も出来る。又、椅子の周りを囲みお湯をためる事が出来る様にする椅子式風呂である。該椅子式風呂はお湯を逃がさない様にして、身体をお湯に浸かる事が出来る、該機能構造を設けた事により、椅子に腰かけたままで入浴する事も出来る。又入浴時のお湯を抜くことも出来る。該入浴時のお湯の量は適宜適切に管理、設定する事が出来る椅子式風呂である。
又該椅子式風呂は、該湯を溜める事が出来る、種々雑多な形状、構造、形態（足まで囲んだ、胸まで浸かる等の方法）又は機能（座る、囲む、液体を溜める等々）において、該椅子形状に関与するカバーの形状、構造、形態の工夫、仕方、変化について、折り畳み、重ねる、開く、引き出す、取り出し、取り入れ、取付け、刻む、かみ合い、組み合わせ、U字型を持つ継ぎ目に逆U字を持つ形状をはめ込む（継ぎ目、取付け部から水が漏れない構成方法）等その他種々の形状、構造、形態等を行なう。該形状、構造、形態は、お湯を貯める、調整、流動制限、深さ、量、高さ等その他種々使用、利用の事が出来る様にして椅子の周りを囲みお湯を逃がさない様にして成り立たせる。又入浴時のお湯を抜くことも出来る。よって、該椅子の形状、構造、形態又は機能の変化が設けられた事を特徴とする椅子式の簡易風呂である。
外側に有る点線は椅子の形状を示す。その椅子形状に実線（同線）はカバーの形状を表わす。
【００２６】
図６は、本発明の実施例６であって、椅子の周りに囲いを設け、更に前面足置き場を囲む被いする該カバ-のカバー風呂は、柔軟性を所持した材料にて製作をなし、又該柔軟性を所持した材料のカバ−は伸び縮みを持つので該カバ−を広げて下に下げて此処より身体を中に入れる事が出来る。
【００２７】
図７、Ａは、本発明の実施例７、Ａであって、並列又は平行する２個の柱にカバー、袋を関与させる該柱を壁に固定出来得る特徴を持ったもの。
カバーを柱に関与設置して、それを上下出来得る機能の柱、又は該柱に形状を持たせて該形状機能所持にカバーを任意位置に固定するための該柱、等々柱の安定を為すために柱を固定する、又柱等を一定箇所に安全所在固定するために柱を固定する該柱その構造、構成を持つ特徴の簡易風呂。
【００２８】
図７、Ｂは、本発明の実施例７、Ｂであって、柱にカバー、袋を関与させる該柱を壁に固定出来得る保持盤固定又は柱固定機能を所持する特徴を持つ簡易風呂。
【００２９】
図８、Ａは、本発明の実施例８、Ａであって、柱を壁に固定した該柱に折り畳み式（任意位置設定機能）の機能を持った特徴を持つ簡易風呂。
【００３０】
図８、Ｂは、本発明の実施例８、Ｂであって、保持盤を正面、側面壁、床に釘付、吸盤又は接着剤等で固定した。該保持盤は磁石機能が設定されている。該磁石はダブルセットにて
保持盤埋込磁石を下側にした面を１つに対して、もう一つの上側になる面の磁石は下面から離れるようになっている。該下面磁石保持盤と、かいりする上面磁石との間に袋を設定して
袋を形状立体固定化袋とする。この中にお湯を入れて、該人が入り簡易な風呂とする。この時の袋は市販のごみ袋でも使用可能である。又保持盤は吸盤機能にて任意な位置に固定し該位置の決定により、袋の在り方を大きくしたり、高くしたり、自在に設定可能である。
よって、ず８、Ｂは下面磁石保持盤は壁側に３個、床側に４個設定した機能構造に袋を関与させてその袋の上に上面磁石を設定して袋を固定保持する。
尚、該磁石保持盤の他にもボタン操作保持盤にて袋を留める。袋を中に挟みこみ機能を持つ保持盤にて袋を留める。保持盤には種々雑多な方法が用いる事が出来る。
【００３１】
図９、Ａは、本発明の実施例９、Ａであって、柱を壁に固定した該柱に折り畳み式の機能を持った機能を上と下を伸ばしセットした物。
【００３２】
図９、Ｂは、本発明の実施例９、Ｂであって、２つの両柱に沿った底面に関与する機能は横、側面、縦に広げたり縮めたりする機能を所持し、該機能にカバー袋の底面を止め、その必要とする位置に該袋に合せた構造に移動又は広げる又は立体構成に為す事が出来る特徴を持つ簡易風呂。
【００３３】
図１０、Ａは、本発明の実施例１０、Ａであって、２つの柱を壁に固定した該柱に折り畳み式の機能を持った機能を上と下を伸ばしセットした下の面にカバー又は袋をセットし、下面に広げた所のものの平面図。
【００３４】
図１０、Ｂは、本発明の実施例１０、Ｂであって、２個の柱にカバーの袋底面に関与して為す構成の機能は、カバー袋底面の任意位置設定に為す事が出来る構造と為す事が出来る特徴を持つ簡易風呂。
該カバー袋の底面に関与する機能は横、側面、縦に広げる機能所持し、該機能にカバー袋の  底面磁石機能（その他該機能は挟む、閉じる、綴じる、止める、引っかける等々種々有る）で止め、その必要とする位置に該袋に合せた構造に移動又は広げる又は立体構成に為す事が出来る特徴を持つ簡易風呂。
【００３５】
図１１、Ａは、本発明の実施例１１、Ａであって、柱を壁に固定した該柱に折り畳み式の機能を持った機能を上と下を伸ばしセットした下の機能面にカバー又は袋をセット広げた該カバー又は袋を上の機能面まで伸ばした中へ湯を張り入浴する構造を所持する簡易風呂。
【００３６】
図１１、Ｂは、本発明の実施例１１、Ｂであって、２個の柱にカバーの袋底面に関与して為す構成の機能は横、側面、縦に広げる機能所持し、該機能にカバー袋の  底面磁石機能（その他該機能は挟む、閉じる、綴じる、止める、引っかける等々種々有る）で止めて該、カバー袋底面の任意位置設定のカバーを上に引き伸ばして上部の引っ掛け構造機能に引っ掛け止める。よって、その必要とする位置に該袋等を合せる構造まで移動又は広げる又は立体構成に為す事が出来る特徴を持つ簡易風呂。尚、固定保持盤を壁の上の方に（上面）左右対称に２個設定及び壁の下の方に（下面）左右対称に２個設定し、該固定保持盤に任意位置設定
機能例えば、折り畳み式取り出し機能にてその機能はカバー又は袋を取り付け任意位置に開らいて入浴出来る機能構造の形状とする簡易風呂とする。
【産業上の利用可能性】
【００３７】
本発明は、カバー、袋の製造、風呂製造、椅子製造する産業で利用させる。
【符号の説明】
【００３８】
１    カバー
２    骨組み
３    スリット
４    封止
５    椅子
６    カバー、袋
７    柱
８    柱固定
９    任意位置設定機能（折り畳み式機能）
１０  変形形状
１１  引っかける形状
１２  止め機能
１３  壁
１４  保持盤
１５  人
１６  床
１７  磁石機能（ダブルセット）
【図１】
2017205474.tif 000003
【図２】
2017205474.tif 000004
【図３】
2017205474.tif 000005
【図４】
2017205474.tif 000006
【図５】
2017205474.tif 000007
【図６】
2017205474.tif 000008
【図７】
2017205474.tif 000009
【図８】
2017205474.tif 000010
【図９】
2017205474.tif 000011
【図１０】
2017205474.tif 000012
【図１１】
2017205474.tif 000013
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
液体を溜める事が出来る形状の構成と為す袋に於いて、該袋に骨組みを持たせてなる簡易風呂。
【請求項２】
袋に柱又は保持盤を関与させた請求項１の記載の簡易風呂。
【請求項３】
固定化する又は変化する等の該機能、形状、構造又は作用の構成を袋に関与させた請求項１乃至請求項２少なくとも何れか１つに記載の簡易風呂。
【請求項４】
封止又は開放の機能又は構造を持たせた構成を袋に関与させた請求項１乃至請求項３少なくとも何れか１つに記載の簡易風呂。
【手続補正２】
【補正対象書類名】明細書
【補正対象項目名】０００６
【補正方法】変更
【補正の内容】
【０００６】
カバー又は袋に液体を溜める事が出来る形状の構成と為して使用する簡易風呂。
【手続補正３】
【補正対象書類名】明細書
【補正対象項目名】０００７
【補正方法】変更
【補正の内容】
【０００７】
カバー又は袋の形状に液体を溜める事が出来得る該カバー又は袋に関与する骨組みを持たせた簡易風呂。
【手続補正４】
【補正対象書類名】明細書
【補正対象項目名】０００８
【補正方法】変更
【補正の内容】
【０００８】
カバー又は袋の形状に液体を溜める事が出来得る該カバー又は袋に柱又は保持盤を関与せた簡易風呂。
【手続補正５】
【補正対象書類名】明細書
【補正対象項目名】０００９
【補正方法】変更
【補正の内容】
【０００９】
上記記載の柱、又は保持盤は、固定する、変化する特徴を持ち、更に該機能、形状、構造、又は作用を構成する特徴を所持した、該カバー又は袋に関与させて為す簡易風呂。
【手続補正６】
【補正対象書類名】明細書
【補正対象項目名】００１０
【補正方法】変更
【補正の内容】
【００１０】
カバー又は袋を椅子に設置した機能、構造を持たせる事が出来る特徴の簡易風呂。
【手続補正７】
【補正対象書類名】明細書
【補正対象項目名】００１１
【補正方法】変更
【補正の内容】
【００１１】
上記記載等のカバー又は袋に封止、又は開放の機能、構造を持たせる事が出来る特徴の簡易風呂。
【手続補正８】
【補正対象書類名】明細書
【補正対象項目名】００１２
【補正方法】変更
【補正の内容】
【００１２】
以上の説明から明らかの様に、本発明にあっては次に列挙する効果が得られる。
こんにち、入浴時、前、中、後において事故（死ぬ事もふくむ）が多発している中において、本発明は、風呂場及び便所、お勝手場、その他随時必要箇所にて簡易に使用出来、更に安心な、且つ簡易、便利なカバー、袋の使用によるカバー、袋による風呂となる効果が得られる。
該カバー、袋の形状は、丸、三角〜十二角、変形形状等々の種々雑多な形状が設定可能である、故に、該カバー、袋の簡易風呂は、手軽に、安価な、安心な、簡単に、便利に、設置場自在、簡易な風呂として使用出来る効果が得られる。
【手続補正９】
【補正対象書類名】明細書
【補正対象項目名】００１３
【補正方法】変更
【補正の内容】
【００１３】
カバー又は袋を使用して液体を溜める事が出来る形状の立体構造と為して、それに、水、お湯等々の種々雑多な液体を溜める事が出来る構成である。故に該立体構造カバー、袋と為す形状の該カバー、袋にて手足身体を洗う、入浴する事が出来る特徴のカバー又は袋の簡易風呂である。故に、該カバー、袋の簡易風呂は、手軽に、安価な、安心な、簡単に、便利に、簡易な風呂として使用出来る効果が得られる。
【手続補正１０】
【補正対象書類名】明細書
【補正対象項目名】００１４
【補正方法】変更
【補正の内容】
【００１４】
カバー又は袋と、該カバー又は袋に関与する骨組みと、から為る簡易風呂である。カバー又は袋に形状構成を為し該液体を溜める事が出来る立体構造と為す事が出来るカバー又は袋に骨組みを持たせて、該カバー、袋にしっかりした安定性のある、安全性のある、又は固定性を持たせる形状にする。故に該カバー、袋に該骨組み設定形状を保たせることによって、該形状が崩れない、形状を保っている特徴を為す事が出来るので、該カバー、袋、は、手足身体を洗う、入浴する機能を安全、且つ安定にてする事が出来る。又入浴風呂に於いて、入りやすい事の機能を高める事が出来る効果が得られる。
【手続補正１１】
【補正対象書類名】明細書
【補正対象項目名】００１５
【補正方法】変更
【補正の内容】
【００１５】
柱又は保持盤を設けた、該柱、保持盤に前記記載のカバー又は袋を関与させる事で、カバー又は袋の形状を安定させる。よって、安定するカバー又は袋の形状は容易に液体をもれなくする等々が出来得る構造が出来る効果が得られる。
【手続補正１２】
【補正対象書類名】明細書
【補正対象項目名】００１６
【補正方法】変更
【補正の内容】
【００１６】
カバー、袋は、簡易風呂としての機能、作用、形状又は構造の構成を為すために関与して設けた柱又は保持盤において、該柱、保持盤は、壁、塀等々の柱、保持盤が固定できる物体、壁等に固定し、安定をなす特徴を持つ。又該固定柱、該固定保持盤は装着、脱着、移動、開閉、任意位置きめ、スライド、伸ばす、縮める、折り曲げる、取出す、収納、放出、出し入れ、引っかける、止める、閉じる、挟む、磁石、添付物、吸盤、つめる、ボタン操作、挟み込む、面着、接着、引っ込める、突出する又その他の種々雑多な方法等々の機能、形状、構造、又は作用を所持にて、カバー又は袋に関与させてなる簡易に使用できる簡易風呂。又、前記記載の種々雑多な方法仕方を持つ内の、必要に、需要に適した該機能、形状、構造、又は作用を該柱、保持盤に設定して該方法仕方により、安心、簡易、便利な、使いやすい形状構造と為す、構成にて、簡易な風呂として使用できる機能、構造となる簡易風呂が出来得る効果が得られる。故に、該カバー袋の底面に関与する機能は横、側面、縦に広げる機能、拡大する機能、広げる機能、縮小する機能、縮める機能等々を所持し、該カバー袋底面にマッチした位置に合せた該機能にてカバー袋の底面を止め、その必要とする位置に該袋に合せた構造に移動又は広げえる又は立体構成に為す事が出来る特徴を持つ事が出来得る効果が得られる。
【手続補正１３】
【補正対象書類名】明細書
【補正対象項目名】００１７
【補正方法】変更
【補正の内容】
【００１７】
前記記載の、そのカバー、袋を椅子座に設置、又は関与させる特徴は、気体、液体、固体を溜める方法でも安定をなし、身体の入浴位置を図れる、楽な姿勢のままで等の簡易入浴が出来る特徴を有する椅子式風呂ふう構造の特徴を有する簡易風呂としての特徴を持つ事が出来得る効果が得られる。
椅子を風呂ふうとして構成させる事によって、座ることが出来ない、物を跨ぐことが出来ない身体の不自由の者でも、椅子（従来使用している該椅子をそのままで移動可能とさせて風呂として使用）のまま腰掛けて、風呂に入ることが出来る効果が得られる。
又使用した後のカバ−を取り除いて捨てる等で掃除の手間を省く事が出来る椅子式風呂ふうで安全性と便利さを持つ効果が得られる。
【手続補正１４】
【補正対象書類名】明細書
【補正対象項目名】００１８
【補正方法】変更
【補正の内容】
【００１８】
カバー又は袋に封止、又は開放の機能、構造のスリット（切れ目）、開放部、又は封止部の機能を設定は、カバー、袋内の水、お湯等々の種々雑多な液体を排出する機能を持つカバー、袋。又は身体を該カバー、袋内に侵入させる為に、カバー、袋を開放して中に入りやすくする機能を持つカバー、袋。又液体を溜める事が出来る事が出来る構成と為すために、封じ込める、封止する又は閉じる構造、機能を備えたカバー、袋である特徴を持つ事が出来得る効果が得られる。
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
液体を溜める事が出来る形状の構成と為す袋に於いて、該袋に、保持盤、柱、壁、又は床を関与した簡易風呂。
【請求項２】
請求項１の記載の簡易風呂の袋に、固定化する又は変化する等々の該機能、該形状、該構造、該作用を持たせた簡易風呂。